(57)【要約】【課題】   この発明は、サッシ窓枠の排水孔に嵌装されている排水弁装置が、外の高い気圧により押されて、排水孔から離脱することを防止した、サッシ窓枠の結露排水弁装置を提供することを目的としている。【解決手段】  サッシ窓枠１０の排水孔１１に嵌装される排水弁装置１であって、上下に貫通する通水孔２ａをもつ筐体２の内部に、可動弁体９が配設され、筐体２の左右両側部に、それぞれ外上斜方向を向く係止片７が、先端部を筐体２外面より外方へ突出させて形成されている、サッシ窓枠の結露排水弁装置１。【選択図】  図３
2009281082.tif 000002
【特許請求の範囲】
【請求項１】
サッシ窓枠の排水孔に嵌装される排水弁装置であって、上下に貫通する通水孔をもつ筐体の内部に、可動弁体が配設され、筐体の左右両側部には、それぞれ外上斜方向を向く係止片が、先端部を筐体外面より外方へ突出させて形成されていること、を特徴とするサッシ窓枠の結露排水弁装置。
【請求項２】
前記係止片は、それぞれ外側部に複数の段差状に段差片が形成され、各段差片は、上よりも下の段差片の先端が外方へ長く突出されていること、を特徴とする請求項１に記載された、サッシ窓枠の結露排水弁装置。 
【請求項３】
前記筐体の外周上端縁部には、サッシ窓枠の排水孔の径よりも大きな径のシール環体が形成されていること、を特徴とする請求項１または２に記載された、サッシ窓枠の結露排水弁装置。
【請求項４】
前記筐体は、上部の排水孔の下部に隘路が形成され、隘路の下部に形成された弁装洞に可動弁体が収容され、その下部に通水孔を有する栓体が一体に装着されていること、を特徴とする請求項１〜３の何れかに記載された、サッシ窓枠の結露排水弁装置。
【発明の詳細な説明】
【技術分野】
【０００１】
本発明は、サッシ窓枠の結露排水弁装置に係り、特に、弁装置が内外の気圧の変化によりサッシから離脱しない、サッシ窓枠の結露排水弁装置に関する。
【背景技術】
【０００２】
従来、建物のガラス窓に付着する結露を排水する水切りは、例えば特許文献１や２等で知られている。
ビルのサッシ窓枠の内側下部には、ガラス板の内面に付着する結露を排水するための排水孔が開設されており、排水孔の下には外へ通じる水路が形成されている。前記排水孔には、部屋の温度を外へ逃がさないための、開閉弁が装着されたものがみられる。
【特許文献１】特開２００３−０２７８６０号公報
【特許文献２】特開２００５−２８２３２６号公報
【発明の開示】
【発明が解決しようとする課題】
【０００３】
従来の排水用の開閉弁は、筒状筐体の中に可動弁体が収容されている。サッシ窓枠に形成された排水孔に、筒状筐体を内嵌させて使用するもので、弁体上域に溜まった水を外へ排水し、内外の気圧の変化で可動弁体が動いて、弁体の内外へ通じる通路を閉塞するように構成されている。
しかし、室内が暖かで外部で低温な風が吹くと、外と室内の気圧差が大きくなり、外の気圧が可動弁体を上に押しつけて押すために、開閉弁装置そのものが、サッシ窓枠の排水孔から飛び出し、離脱するという事態が起きている。
この発明は、それらの実情に鑑みて、サッシ窓枠から離脱しにくい、サッシ窓枠の結露排水弁装置、を提供することを目的としている。
【課題を解決するための手段】
【０００４】
この発明の具体的な内容は次の通りである。
【０００５】
（１）  サッシ窓枠の排水孔に嵌装される排水弁装置であって、上下に貫通する通水孔をもつ筐体の内部に、可動弁体が配設され、筐体の左右両側部に、それぞれ外上斜方向を向く係止片が、先端部を筐体外面より外方へ突出させて形成されている、サッシ窓枠の結露排水弁装置。
【０００６】
（２）  前記係止片は、それぞれ外側部に複数の段差状に段差片が形成され、各段差片は、上よりも下の段差片の先端が、外方へ長く突出されている、前記（１）に記載されたサッシ窓枠の結露排水弁装置。
【０００７】
（３） 前記筐体の外周上端縁部には、サッシ窓枠の排水孔の径よりも大きな径の、シール環体が形成されている、前記（１）または（２）に記載された、サッシ窓枠の結露排水弁装置。
【０００８】
（４） 前記筐体は、上部の排水孔の下部に隘路が形成され、隘路の下部に形成された弁装洞に、可動弁体が収容され、その下部に、通水孔を有する栓体が、一体に装着されている、前記（１）〜（３）の何れかに記載された、サッシ窓枠の結露排水弁装置。
【発明の効果】
【０００９】
本発明によると次のような効果がある。
【００１０】
前記（１）に記載された発明の排水弁装置は、筐体の左右両側部に、それぞれ外上斜方向を向く係止片が、先端部を筐体外面より外方へ突出させて形成されているので、排水弁装置を、サッシ窓枠における排水孔に嵌装すると、中で係止片の先端部が、サッシ窓枠の排水孔壁下に突きあたるため、外気圧が高くなって、排水弁装置の下に高い気圧がかかっても、排水弁装置が排水孔から押上げられて、離脱することがない。
【００１１】
前記（２）に記載された発明の排水弁装置は、係止片の外側部に複数の段差状に、段差片が形成されているために、サッシ窓枠における排水孔の壁面板厚の厚みが、大小に差があっても、いずれにも対応して係止することができる。
【００１２】
前記（３）に記載された発明の排水弁装置は、筐体の外周上端縁部に、サッシ窓枠の排水孔の径よりも大きな径のシール環体が、形成されているので、サッシ窓枠の排水孔に、排水弁装置を嵌装させた時、シール環体が排水孔内壁面に密接してシールする。
【００１３】
前記（４）に記載された発明の排水弁装置は、筐体における上部の通水孔の下部に、隘路が形成され、隘路の下部に形成された弁装洞に、可動弁体が収容され、その下部に通水孔を有する栓体が、一体に装着されているので、窓ガラスを伝わって通水孔に入る結露の水は、可動弁体の下から外へ排出される。外気圧が高くなると、可動弁体が押上げられて、隘路の下口を塞ぐため、寒い風が排水弁装置を通して部屋の中に入らない。
【発明を実施するための最良の形態】
【００１４】
この発明は、排水弁装置の外側に係止片を形成する。サッシ窓枠の排水孔に排水弁装置を嵌装させると、外気圧により排水弁装置が押されても、係止片により係止されて排水弁装置が排水孔から離脱しない。
【実施例１】
【００１５】
この発明の実施例を図面を参照して説明する。図１は本発明に係るサッシ窓枠の結露排水弁装置（以下単に排水弁装置という）の平面図、図２は栓体の斜視図、図３は図１におけるＡ−Ａ縦断正面図、図４は図１におけるＢ−Ｂ縦断側面図、図５は正面図、図６は側面図である。
【００１６】
図において排水弁装置１は、上下に通水孔２ａのある筐体２の内部の弁装洞２ｃに、球状の可動弁体９が配設され、筐体２の下部には栓体８が装着されている。
これらの材質は何でもよいが、例えばナイロン樹脂で形成される。前記栓体８は、筐体２の下部に嵌合させた後に、高周波により溶融接着させるが、他の手段で接着できることは当然である。
【００１７】
図３．４に示すように、筐体２の上端部に、サッシ窓枠１０の排水孔１１の径よりもやや小径のフランジ３が形成され、その下に間をおいて、板厚の薄いシール環体４が、サッシ窓枠１０の、排水孔１１の径よりやや大きな外径で形成されている。
【００１８】
前記筐体２の内部は、上口の広がった通水孔２ａの下部に、隘路２ｂが形成され、その下部に弁装洞２ｃが形成されて、弁装洞２ｃ内に球体の可動弁体９が配設され、その下部に栓体８が固定さて、可動弁体９の脱落が規制されている。
【００１９】
前記フランジ３の上部には、サッシ窓枠１０の排水孔１１への、落込みを抑止する掛止片５が、図１における前後方向を向いて形成されている。
前記筐体２の外面は、高さの中間に段差部２ｄが形成されて、中間を細径部２ｅとし、該細径部２ｅにおける左右に、切欠部６が形成されている。該切欠部６に対面する位置で、段差部２ｄから、係止片７が斜上外向きに突設されている。
【００２０】
前記係止片７は、図に示すように、筐体２下部２ｆの側面よりも外側へ突出されており、外側面は鋸刃状に、複数の段差片７ａ、７ｂ、７ｃが形成されている。該段差片７ａ、７ｂ、７ｃは、その先端部が上から順次、外側へ長く突出されている。
【００２１】
図２は栓体８の斜視図である。栓体８はドーナツ型状に、中央部に通水孔８ａが形成されている。該通水孔８ａの周囲に、複数の支柱８ｂが形成され、その上端部は栓体８の上に突出されている。この支柱８ｂの上に可動弁体９を支持させると、隣の支柱８ｂとの間で、可動弁体９下の隙間から水は排水される。
【００２２】
図３．４はサッシ窓枠１０の排水孔１１に、排水弁装置１を嵌装する状態を示す。図３において、サッシ窓枠１０は板厚の薄い（左側）時と厚い（右側）時とを示している。  板厚が薄いときは、左側のように、係止片７は、嵌装するときは切欠部６に接するように撓んで入り、入った後は元の形に復元し、係止片７の先端部がサッシ窓枠１０の型材下面に突当る。
【００２３】
サッシ窓枠１０の型材の板厚が厚いときは、右側のように、排水弁装置１の係止片７は、嵌装するときは切欠部６に接するように撓んで入り、サッシ窓枠１０に係止片７の段差片７ａ、７ｂ、７ｃのいずれかが、サッシ窓枠１０型材の下に突当る。
【００２４】
このように、サッシ窓枠１０の型材の板厚が、薄いものと厚いものとがあっても、サッシ窓枠１０の排水孔１１に、排水弁装置１が嵌装されると、係止片７は、サッシ窓枠１０の型材の下に突当り、これによって排水弁装置１は、上に抜け出すことは出来なくなる。図３．４において、シール環体４は、外周部が排水孔１１の内壁面に密接しているので、気密性が維持される。
【００２５】
図７は、サッシ窓枠１０下部一部を示す縦断側面図である。図においてガラス１２の左が外、右側が室内にあたる。図７において、ガラス１２の内面に付着する結露が、下に降下して、排水弁装置１の通水孔２ａに入り込んだとき、図３における支柱８ａに支持された、可動弁体９の下の隙間から排水される。図７において符号１０ａは排水孔で、排水弁装置１からの排水は、この排水孔１０ａから外へ排出される。
【００２６】
しかして、この排水弁装置１を境とした室内気圧より、外の気圧が高くなったとき、図３において可動弁体９は、隘路２ｂの下口まで押上げられて、隘路２ｂの下口を閉塞する。これによって、寒い外気が室内へ入ることがなくなり、室内の温度は維持される。
【００２７】
この場合、可動弁体９に、室内よりも気圧の高い外の気圧がかかって、隘路２ｂの下口を閉塞させ、上方への力がかかって排水弁装置１全体を上に押し上げるように作用しても、係止体７が、サッシ枠体１０の型材の下で、排水弁装置１全体の浮上りを係止するので、排水弁装置１が、サッシ枠体１０の排水孔１１から離脱することはない。
【００２８】
なおこの発明は、前記実施例に限定されるものではなく、目的に沿って適宜設計変更をすることができる。
【産業上の利用可能性】
【００２９】
この排水弁装置は、サッシ窓枠の排水孔に嵌装して使用される。
【図面の簡単な説明】
【００３０】
【図１】本発明に係る排水弁装置の平面図である。
【図２】栓体の斜視図である。
【図３】図１におけるＡ−Ａ縦断正面図である。。
【図４】図１におけるＢ−Ｂ縦断側面図である。
【図５】本発明に係る排水弁装置の正面図である。
【図６】本発明に係る排水弁装置の側面図である。
【図７】サッシ窓枠に排水弁装置を取付けた状態を示す。
【符号の説明】
【００３１】
１．排水弁装置
２．筐体
２ａ．排水孔
２ｂ．隘路
２ｃ．弁装洞
２ｄ．段差部
２ｅ．細径部
２ｆ．下部
３．フランジ
４．シール環体
５．掛止体
６．切欠部
７．係止体
７ａ、７ｂ、７ｃ．段差片
８．栓体
８ａ．通水孔
８ｂ．支柱
９．可動弁体
１０．サッシ窓枠
１１．排水孔
１２．ガラス
【図１】
2009281082.tif 000003
【図２】
2009281082.tif 000004
【図３】
2009281082.tif 000005
【図４】
2009281082.tif 000006
【図５】
2009281082.tif 000007
【図６】
2009281082.tif 000008
【図７】
2009281082.tif 000009